(57)【要約】      （修正有）【課題】製造コストが安い、卓板や展示棚などの高さ調整装置を提供する。【解決手段】外管１、内管２、支持ロッド３、弾性体４およびロック機構５を備える。外管１には内管２が収納され、内管２を軸方向に移動させることができる。内管２は、干渉を受けることなく、外管１内において軸方向に移動する。内管２のロック機構５に対応する表面には位置決め部２１１が設けられ、ロック機構５および位置決め部２１１によって内管２の位置が固定される。支持ロッド３は、外管１内に設置され、その一端は外管１の固定台１１に位置決めされ、他端には弾性体４が支持される。弾性体４は、内管２内に設置され、その両端部４１、４２はそれぞれ内管２の第１の端部２０１に近い両側部に固定される。内管２の第２の端部２０２には卓板または展示棚などの物体が搭載され、内管２を軸方向へ移動させることによって物体の位置が変更される。【選択図】図１
0003146411.tif 000002
【実用新案登録請求の範囲】
【請求項１】
外管、内管、支持ロッド、弾性体およびロック機構を備え、
前記外管は、本体部および前記本体部から軸方向両端に延長した位置に設けられた第１の端部および第２の端部を有し、前記本体部内は、前記第１の端部および第２の端部を貫通する中空部を有し、前記中空部には前記内管が収納され、前記第１の端部には固定台が接続され、前記第２の端部にはロック機構が接続され、
前記内管は、本体部および前記本体部から軸方向両端に延長した位置に設けられた第１の端部および第２の端部を有し、前記本体部内は、前記第１の端部を貫通する中空部を有し、前記内管の第１端部および第２の端部は自由端であり、前記内管の前記ロック機構に対応する表面には位置決め部が設けられ、
前記支持ロッドは、前記外管の中空部に設置され、本体部および前記本体部から軸方向両端に延長した位置に設けられた第１の端部および第２の端部を有し、前記第１の端部は前記支持ロッドを外管の固定台に位置決めするのに使用され、前記第２の端部は前記弾性体を支持するのに使用され、
前記弾性体は、前記内管の中空部に設置され、本体部および本体部から軸方向両端に延長した位置に設けられた第１の端部および第２の端部を有し、前記両端部はそれぞれ内管の第１の端部に近い両側部に固定されることを特徴とする高さ調整装置。
【請求項２】
前記支持ロッドの本体部内は、第１の端部を貫通する中空部を有し、前記外管の固定台上には、前記外管の中空部の軸方向に位置決め柱が設けられ、前記位置決め柱の断面積は前記支持ロッドの中空部よりも小さく、前記支持ロッドは前記位置決め柱に嵌合されて位置決めされることを特徴とする請求項１記載の高さ調整装置。
【請求項３】
前記位置決め柱の外部には、圧縮ばねが嵌合され、前記圧縮ばね一端は固定台に当接され、他端は支持ロッドの第１の端部に当接されることを特徴とする請求項２記載の高さ調整装置。
【請求項４】
前記支持ロッドの第２の端部には、車輪が設けられ、前記車輪の径方向表面には凹部が設けられ、前記凹部に前記弾性体の本体部が搭載されることを特徴とする請求項１、２または３記載の高さ調整装置。
【請求項５】
前記車輪には、軸が貫通され、前記軸の両端はお互いに対応したフィンにそれぞれ固定され、前記両フィンの一端は前記支持ロッドの第２の端部に接続され、前記両フィンの高さは前記車輪よりも高く、前記弾性体を保護して脱落を防止することを特徴とする請求項４記載の高さ調整装置。
【請求項６】
前記弾性体は、引張りばねであることを特徴とする請求項１記載の高さ調整装置。
【請求項７】
前記内管の位置決め部は、一つまたは一つ以上の軸方向に分布された孔であることを特徴とする請求項１記載の高さ調整装置。
【請求項８】
前記内管の本体部の外表面のお互いに対応する側部には、シムが対称に接続され、前記シムは前記内管と前記外管内壁との間の隙間を補完するのに使用されることを特徴とする請求項１、２または３記載の高さ調整装置。
【請求項９】
前記外管の第２の端部内には、ストッパリングが嵌接され、前記内管の第１の端部に近い外表面には脱落防止部材が接続され、前記脱落防止部材と前記ストッパリングとが接触することによって、前記内管が前記外管内から脱落するのを防止することを特徴とする請求項１、２または３記載の高さ調整装置。
【請求項１０】
前記内管の第２の端部は、卓板または展示棚などの物体を搭載するのに使用され、前記内管を軸方向へ移動させることによって前記物体の相対位置が変更されることを特徴とする請求項１、２または３記載の高さ調整装置。
【考案の詳細な説明】
【技術分野】
【０００１】
本考案は高さ調整装置に関し、卓板または展示棚などが搭載され、軸方向へ移動させることによって相対位置を変更することができる高さ調整装置に関する。
【背景技術】
【０００２】
例えば、椅子、卓板または展示棚などの物体は使用者の必要に応じてその高さが調節され、最も好適な位置で使用される。
【０００３】
椅子、卓板または展示棚などの物体の高さまたは長さを調節するために、現在最も普遍的に採用されている装置はガスシリンダである。ガスシリンダによって高さまたは長さ調整の目的は達成されるが、コストが高いという欠点を有する。
【特許文献１】特開２０００−２９６８０３号公報
【考案の開示】
【考案が解決しようとする課題】
【０００４】
本考案の目的は、簡易な機構設計によって、椅子、卓板または展示棚などの位置調整を行うことができ、従来技術と比較して製造コストを大幅に低減することができる高さ調整装置を提供することにある。
【課題を解決するための手段】
【０００５】
上述の課題を解決するために、本考案の高さ調整装置は、外管、内管、支持ロッド、弾性体およびロック機構を備える。外管には内管が収納され、軸方向に移動させるのに使用される。内管は、干渉を受けることなく、外管内で軸方向に移動し、内管のロック機構に対応する表面には位置決め部が設けられ、ロック機構および位置決め部によって内管の位置が固定される。支持ロッドは、外管内に設置され、一端は外管の固定台に位置決めされ、他端には弾性体が支持される。弾性体は内管内に設置され、その両端は内管の第１の端部に近い両側部に固定される。上記構造によって、内管の第２の端部上に椅子、卓板または展示棚などの物体を搭載し、内管を軸方向へ移動させることによって物体の相対位置を変更することができる。
本考案は、以下の特徴を有する。
（１）外管、内管、支持ロッド、弾性体およびロック機構を備え、
前記外管は、本体部および前記本体部から軸方向両端に延長した位置に設けられた第１の端部および第２の端部を有し、前記本体部内は、前記第１の端部および第２の端部を貫通する中空部を有し、前記中空部には前記内管が収納され、前記第１の端部には固定台が接続され、前記第２の端部にはロック機構が接続され、
前記内管は、本体部および前記本体部から軸方向両端に延長した位置に設けられた第１の端部および第２の端部を有し、前記本体部内は、前記第１の端部を貫通する中空部を有し、前記内管の第１端部および第２の端部は自由端であり、前記内管の前記ロック機構に対応する表面には位置決め部が設けられ、
前記支持ロッドは、前記外管の中空部に設置され、本体部および前記本体部から軸方向両端に延長した位置に設けられた第１の端部および第２の端部を有し、前記第１の端部は前記支持ロッドを外管の固定台に位置決めするのに使用され、前記第２の端部は前記弾性体を支持するのに使用され、
前記弾性体は、前記内管の中空部に設置され、本体部および本体部から軸方向両端に延長した位置に設けられた第１の端部および第２の端部を有し、前記両端部はそれぞれ内管の第１の端部に近い両側部に固定されることを特徴とする高さ調整装置。
（２）前記支持ロッドの本体部内は、第１の端部を貫通する中空部を有し、前記外管の固定台上には、前記外管の中空部の軸方向に位置決め柱が設けられ、前記位置決め柱の断面積は前記支持ロッドの中空部よりも小さく、前記支持ロッドは前記位置決め柱に嵌合されて位置決めされることを特徴とする（１）記載の高さ調整装置。
（３）前記位置決め柱の外部には、圧縮ばねが嵌合され、前記圧縮ばね一端は固定台に当接され、他端は支持ロッドの第１の端部に当接されることを特徴とする（２）記載の高さ調整装置。
（４）前記支持ロッドの第２の端部には、車輪が設けられ、前記車輪の径方向表面には凹部が設けられ、前記凹部に前記弾性体の本体部が搭載されることを特徴とする（１）、（）２）または（３）記載の高さ調整装置。
（５）前記車輪には、軸が貫通され、前記軸の両端はお互いに対応したフィンにそれぞれ固定され、前記両フィンの一端は前記支持ロッドの第２の端部に接続され、前記両フィンの高さは前記車輪よりも高く、前記弾性体を保護して脱落を防止することを特徴とする（）４）記載の高さ調整装置。
（６）前記弾性体は、引張りばねであることを特徴とする（１）記載の高さ調整装置。
（７）前記内管の位置決め部は、一つまたは一つ以上の軸方向に分布された孔であることを特徴とする（１）記載の高さ調整装置。
（８）前記内管の本体部の外表面のお互いに対応する側部には、シムが対称に接続され、前記シムは前記内管と前記外管内壁との間の隙間を補完するのに使用されることを特徴とする（１）、（２）または（３）記載の高さ調整装置。
（９）前記外管の第２の端部内には、ストッパリングが嵌接され、前記内管の第１の端部に近い外表面には脱落防止部材が接続され、前記脱落防止部材と前記ストッパリングとが接触することによって、前記内管が前記外管内から脱落するのを防止することを特徴とする（１）、（２）または（３）記載の高さ調整装置。
（１０）前記内管の第２の端部は、卓板または展示棚などの物体を搭載するのに使用され、前記内管を軸方向へ移動させることによって前記物体の相対位置が変更されることを特徴とする（１）、（２）または（３）記載の高さ調整装置。
【考案の効果】
【０００６】
操作時、内管の第２の端部に圧力を加え、弾性体を変形させて内管の第２の端部を外管に接近する方向に移動させることによって、希望する位置に調整し、その後、ロック機構および内管の位置決め部によって固定を行なう。この時、圧縮ばねが押圧されて変形しており、再度内管の第２端部の相対位置を調整する場合、ロック機構を操作して内管の位置決め部との固定を解除すればよく、圧縮ばねによる弾力が発生するので、操作を容易に行なうことができる。本考案は構造が簡単なので製造コストを低減させることができる。
【考案を実施するための最良の形態】
【０００７】
本考案の目的、特徴および効果を示す実施例を図に沿って詳細に説明する。
【０００８】
図１から図３に示すように、本考案は、外管１、内管２、支持ロッド３、弾性体４およびロック機構５を備える。
【０００９】
外管１は、本体部１０および本体部１０から軸方向両端に延長した位置に設けられた第１の端部１０１および第２の端部１０２を有する。本体部１０内は、第１の端部１０１および第２の端部１０２を貫通する中空部１０３を有し、内管２を収納し、軸方向への移動を行うのに使用される。第１の端部１０１には固定台１１が接続され、第２の端部１０２にはロック機構５が接続される。
【００１０】
内管２は、本体部２０および本体部２０から軸方向両端に延長した位置に設けられた第１の端部２０１および第２の端部２０２を有する。本体部２０内は、第１の端部２０１を貫通する中空部２０３を有し、中空部２０３には内管２が外管１に進入した後、支持ロッド３および弾性体４が位置される。内管２の第１端部２０１および第２の端部２０２は自由端であり、干渉を受けることなく、外管１の中空部１０３で軸方向に移動する。第２の端部２０２は卓板６または展示棚などの物体を搭載するのに使用でき、内管２を軸方向へ移動させることによって物体の相対位置を変更することができる。内管２のロック機構５に対応する表面２１には位置決め部２１１が設けられ、図に示すように、位置決め部２１１は一つまたは一つ以上の軸方向に分布する定位孔であり、内管２を外管１内で移動させ、ロック機構５および位置決め部２１１によって位置を固定することができる。
【００１１】
支持ロッド３は、外管１の中空部１０３に設置され、本体部３０および本体部３０から軸方向両端に延長した位置に設けられた第１の端部３０１および第２の端部３０２を有する。本体部３０内は、第１の端部３０１を貫通する中空部３０３を有し、第１の端部３０１は支持ロッド３を外管１の固定台１１に位置決めするのに使用され、第２の端部３０２は弾性体４を支持するのに使用される。
【００１２】
弾性体４は、内管２の中空部２０３に設置され、本体部４０および本体部４０から軸方向両端に延長した位置に設けられた第１の端部４１および第２の端部４２を有する。両端部４１、４２は内管２の第１の端部２０１に近い両側部に固定される。図に示すように弾性体４は引張りばねであり、弾性体４の本体部４０は支持ロッド３の第２の端部３０２の支持を受け、設置された後、Ｖ字形となる。
【００１３】
支持ロッド３を位置決めするために、外管１の固定台１１上には、外管１の中空部１０３の軸方向に位置決め柱１２が設けられる。位置決め柱１２の断面積は支持ロッド３の中空部３０３よりも小さく、支持ロッド３を位置決め柱１２に嵌合して位置決めすることができる。好ましくは、位置決め柱１２の外部には圧縮ばね３１が嵌合され、圧縮ばね３１一端３１０は固定台１１に当接され、他端３１１は支持ロッド３の第１の端部３０１に当接される。
【００１４】
支持ロッド３の第２の端部３０２には車輪３２が設けられ、車輪３２の径方向表面には凹部３２１が設けられ、弾性体４の本体部４０が搭載される。車輪３２には軸３３が貫通され、軸３３の両端はお互いに対応したフィン３４、３５にそれぞれ固定され、両フィン３４、３５の一端は支持ロッド３の第２の端部３０２に接続される。両フィン３４、３５の高さは車輪３２よりも高く、弾性体４を保護して脱落を防止する。
【００１５】
図３、４に示すように、組立時、先ず、圧縮ばね３１および支持ロッド３を順番に外管１の位置決め柱１２に嵌合し、圧縮ばね３１一端３１０を固定台１１に当接し、他端３１１を支持ロッド３の第１の端部３０１に当接する。弾性体４が設置された内管２を外管１の第２の端部１０２から外管１の中空部１０３に挿入し、弾性体４の本体部４０が車輪３２の凹部３２１に当接されるまで挿入し、内管２を支持する。この時、内管２の第２の端部２０２が外管１から最も遠い位置となり、操作時は、図５、６に示すように、内管２の第２の端部２０２に圧力を加え、弾性体４を変形させて内管２の第２の端部２０２を外管１に接近する方向に移動させることによって、調整したい位置に到達させ、その後、ロック機構５および内管２の位置決め部２１１によって固定を行なう。この時、圧縮ばね３１は押圧されて変形しており、再度内管２の第２端部２０２の相対位置を調整する場合、ロック機構５を操作して内管２の位置決め部２１１との固定を解除すればよく、圧縮ばね３１による弾力が発生する（図３を参照）ので、操作を容易に行なうことができる。
【００１６】
内管２の第２の端部２０２は、例えば卓板６または展示棚などの物体を接続するのに使用でき、本考案の高さ調整装置によって卓板６の高低位置を調整することができる。図７に示すように、当然、本考案の高さ調整装置は、対称に設置して大型の物体を接続することができ、その実用価値を高めることができる。
【００１７】
また、図１、３に示すように、内管２の本体部２０の外表面のお互いに対応する側部には、シム２２が対称に接続され、内管２と外管１内壁との間の隙間ａを補完するのに使用され、それによって内管２が揺動するのを防止できる。また、外管１の第２の端部１０２内にはストッパリング１３が嵌接され、内管２の第１の端部２０１に近い外表面には脱落防止部材２３（例えば、図１に示すボルト）が接続され、脱落防止部材２３とストッパリング１３とが接触することによって、操作ミスによって内管２が外管１内から脱落するのを防止できる。
【図面の簡単な説明】
【００１８】
【図１】本考案を示す斜視分解図である。
【図２】本考案の組立後の状態を示す側面図である。
【図３】本考案の使用状態を示し、内管を外管の相対位置に延長させた状態を示す模式図である。
【図４】本考案の使用状態を示し、内管を外管の相対位置に延長させた状態を示す側面図である。
【図５】本考案の使用状態を示し、内管を外管の相対位置に進入させた状態を示す模式図である。
【図６】本考案の使用状態を示し、内管を外管の相対位置に進入させた状態を示す側面図である。
【図７】本考案の他の実施例を示し、二つの高さ調整装置を対称に設置して一つの卓板を支持する状態を示す正面図である。
【符号の説明】
【００１９】
１  外管
１０  本体部
１０１  第１の端部
１０２  第２の端部
１０３  中空部
１１  固定台
１２  位置決め柱
１３  ストッパリング
２  内管
２０  本体部
２０１  第１の端部
２０２  第２の端部
２０３  中空部
２１  内管表面
２１１  位置決め部
２２  シム
２３  脱落防止部材
ａ  内管と外管内壁との間の隙間
３  支持ロッド
３０  本体部
３０１  第１の端部
３０２  第２の端部
３０３  中空部
３１  圧縮ばね
３１０、３１１  圧縮ばね両端
３２  車輪
３２１  凹部
３３  軸
３４、３５  フィン
４  弾性体
４０  本体部
４１  第１の端部
４２  第２の端部
５  ロック機構
６  卓板
【図１】
0003146411.tif 000003
【図２】
0003146411.tif 000004
【図３】
0003146411.tif 000005
【図４】
0003146411.tif 000006
【図５】
0003146411.tif 000007
【図６】
0003146411.tif 000008
【図７】
0003146411.tif 000009